(57)【要約】【課題】クロストークの発生による画質の低下を防止することができる表示装置等を提供する。【解決手段】放電回数の比を示す輝度重みが設定されたＳＦを１フレーム期間内に複数設けて階調表示するサブフィールド法で駆動されるＰＤＰ５３を有する表示部５と、ＰＤＰ５３の発光特性に応じて、１フレーム期間内の複数のＳＦ毎の残光の総和（残光量）を算出し、残光量から算出される減算信号量を用いて、入力される映像信号を補正した補正映像信号を出力するクロストーク補正部２と、当該補正映像信号を、１フレーム毎にＳＦ信号に変換するＳＦ変換部３と、変換されたＳＦ信号からＰＤＰ５３を駆動するための駆動信号を生成する駆動信号設定部４と、を備える。【選択図】図７
2013148726.tif 000002
【特許請求の範囲】
【請求項１】
放電回数の比を示す輝度重みが設定されたサブフィールドを１フレーム期間内に複数設けて階調表示するサブフィールド法で駆動されるプラズマディスプレイパネルを有する表示部と、
前記プラズマディスプレイパネルの発光特性に応じて、１フレーム期間内の複数のサブフィールド毎の残光量を算出し、前記残光量から算出される減算信号量を用いて、入力される映像信号を補正した補正映像信号を出力する映像信号補正部と、
当該補正映像信号を、１フレーム毎にサブフィールド信号に変換するサブフィールド変換部と、
変換された当該サブフィールド信号から前記プラズマディスプレイパネルを駆動するための駆動信号を生成する駆動信号生成部と、を備える
表示装置。
【請求項２】
前記映像信号補正部は、
前記プラズマディスプレイパネルの発光特性に応じて、現フレームの１フレーム前の１フレーム期間内の複数のサブフィールド毎の残光量を算出する残光量算出部と、
前記残光量算出部により算出された前記複数のサブフィールド毎の残光量から、入力される前記現フレームの映像信号を減算する信号量である前記減算信号量を算出する減算信号量算出部と、
前記現フレームの映像信号から前記減算信号量算出部により算出された減算信号量を減算する減算器と、を備える
請求項１に記載の表示装置。
【請求項３】
前記プラズマディスプレイパネルは、輝度重みが設定されたサブフィールドにおいて、維持期間に前記輝度重みに応じた数の維持放電パルスが発生することで階調表示され、
前記発光特性には、前記維持放電パルスの数が大きいほど前記残光量が大きくなる特性を含み、
前記減算信号は、前記維持放電パルスの数が大きいほど大きくなるように算出される
請求項１または２に記載の表示装置。
【請求項４】
前記減算信号は、前記維持放電パルスの数が増えるほど、維持放電パルスの数の増加量に対する減算信号の増加量が小さくなるように算出される
請求項１または２に記載の表示装置。
【請求項５】
前記発光特性には、前記プラズマディスプレイパネルの１ラインあたりのサブフィールド数に対する発光させるべきサブフィールドの数の割合であるＳＦ点灯率が大きいほど前記残光量が大きくなる特性を含み、
前記減算信号は、前記ＳＦ点灯率が大きいほど、小さくなるように算出される
請求項１または２に記載の表示装置。
【請求項６】
さらに、前記映像信号補正部により出力された前記補正映像信号を前記プラズマディスプレイパネルで表示する際に必要な電力量に基づき、前記輝度重みをフレーム毎に調整する調整部を備え、
前記駆動信号生成部は、前記フレーム毎に、前記調整部により調整された輝度重みと、変換された当該サブフィールド信号とから、前記プラズマディスプレイパネルを駆動するための駆動信号を生成する
請求項１〜５のいずれか１項に記載の表示装置。
【請求項７】
前記調整部は、前記フレーム毎に、前記映像信号補正部により出力された前記補正映像信号を前記プラズマディスプレイパネルで表示する際の輝度レベルに基づき、前記必要な電力量を算出する
請求項６に記載の表示装置。
【請求項８】
前記輝度レベルは、ＡＰＬ（Ａｖｅｒａｇｅ  Ｐｅａｋ  Ｌｅｖｅｌ；平均輝度レベル）である
請求項７に記載の表示装置。
【請求項９】
前記調整部は、前記輝度レベルが高いほど、前記補正映像信号を前記プラズマディスプレイパネルで表示する際の輝度を下げるように前記輝度重みを調整する、
請求項７または８に記載の表示装置。
【請求項１０】
前記プラズマディスプレイパネルは、輝度重みが設定されたサブフィールドにおいて、維持期間に当該輝度重みに応じた数の維持放電パルスが発生することで階調表示され、
前記調整部は、前記輝度レベルが高いほど、前記補正映像信号を前記プラズマディスプレイパネルで表示する際の維持期間における維持放電パルス数が少なくなるように前記輝度重みを調整する
請求項７または８に記載の表示装置。
【請求項１１】
放電回数の比を示す輝度重みが設定されたサブフィールドを１フレーム期間内に複数設けて階調表示するサブフィールド法でプラズマディスプレイパネルを駆動させて映像を表示する表示ステップと、
前記プラズマディスプレイパネルの発光特性に応じて、１フレーム期間内の複数のサブフィールド毎の残光量を算出し、前記残光量から算出される減算信号量を用いて、前記入力される映像信号を補正した補正映像信号を出力する映像信号補正ステップと、
当該補正映像信号を、１フレーム毎にサブフィールド信号に変換するサブフィールド変換ステップと、
変換された当該サブフィールド信号から前記プラズマディスプレイパネルを駆動するための駆動信号を生成する駆動信号生成ステップと、を含む
表示方法。
【発明の詳細な説明】
【技術分野】
【０００１】
本発明は、表示装置および表示方法に関する。特に、時分割表示方式によって立体映像を表示可能な表示装置であって、クロストークの発生による画質の低下を防ぐことができる表示装置および表示方法に関する。
【背景技術】
【０００２】
近年、プラズマディスプレイパネル（以下単にＰＤＰと略す）を用いて、立体映像を表示する表示装置の開発が積極的に行われている。表示装置が立体映像を表示する手法としてはフレームシーケンシャル方式がある。ここで、フレームシーケンシャル方式とは、表示装置の視聴者に対して右眼用映像と左眼用映像とを交互に表示し、シャッター付メガネを用いて左眼用映像は左眼に右眼用映像は右眼に伝えることによって立体映像を知覚させる方式である。
【０００３】
図１は、フレームシーケンシャル方式で立体映像を表示する手法を説明するための図である。図１の（ａ）は、表示される映像を示しており、図１の（ｂ）は、シャッター付きメガネを装着した視聴者に対して映像が伝わる眼（左眼または右眼）を示している。
【０００４】
図１の（ａ）に示すように、表示装置に表示される映像（立体映像）は、互いに視差を有する右眼用映像と左眼用映像からなる。また、シャッター付きメガネは右眼の視界を遮るシャッターと左眼の視界を遮るシャッターを備える。図１の（ｂ）に示すように、図１の（ａ）で右眼用映像が表示された際は、左眼側のシャッターが閉じることによって、この映像を右眼で見る一方、左眼用映像が表示された際は、右眼側のシャッターが閉じることによって、この映像を左眼で見る。これを交互に繰り返し続けることによって、視聴者は、右眼用映像と左眼用映像とから立体映像を知覚することができる。
【０００５】
立体映像を表示する表示装置が有する課題の一つにクロストークの問題が知られている。クロストークは一方の眼用の映像が、他方の眼に視覚されてしまうことによって生じる。クロストークが生じると、視聴者が立体映像を正確に鑑賞することができない。
【０００６】
このクロストークが生じる原因は映像の残光である。より正確に言えば、ＰＤＰ表面から発生する残光である。映像は映像信号がＰＤＰに入力されることによって、ＰＤＰに表示される。ＰＤＰの表面には無数の蛍光体が配置されている。これらの蛍光体が連続的なパターンで発光することによってＰＤＰは映像を表現している。ところが発光後の蛍光体は、徐々に明るさを失っていく性質をもつ。よって映像信号が切り替わった後でも、短い期間であるが蛍光体が完全に明るさを失うまでの間、ＰＤＰは以前に表示した映像を表示してしまう。つまり、フレームシーケンシャル方式においては、シャッター付きメガネを用いて表示する映像を時間で切り替えているため、徐々に明るさを失っていく期間（以下、残光と記載）が長いほど本来伝えたい眼と反対の眼に漏れ伝えてしまう。
【０００７】
このようなクロストークの問題に対して、様々な解決法が考えられてきた。その代表的なものに、以前の映像からの残光量を次の映像から減算する方法がある（特許文献１参照）。特許文献１では、入力映像に対して所定の係数αを乗算することにより残光量を計算し、引き続く映像からその残光量を引くという技術が開示されている。αの量を上手く定義できれば理論上はクロストークを防止できることができる。
【先行技術文献】
【特許文献】
【０００８】
【特許文献１】特開２００１−５４１４２号公報
【発明の概要】
【発明が解決しようとする課題】
【０００９】
しかしながら、上記従来技術ではクロストークの問題は解決されない。
【００１０】
具体的には、特許文献１では、残光量を算出する係数値αはあらかじめ映像信号から帰納的に計算するとされている。しかし、ＰＤＰは、サブフィールド法と呼ばれる駆動方法を用いて画素毎で階調表示を行うことから、単純に映像信号から残光量を一意に計算することはできない。例えば、同じ映像を表現するための映像信号Ａと映像信号Ｂがあったとしても、表現された映像同士で残光量が異なるということがあり得るからである。
【００１１】
つまり、上記従来技術では、映像信号から残光量を一意に定めることができないので、ＰＤＰにおけるクロストークを完全には防止できない。
【００１２】
本発明は、上述の事情を鑑みてなされたもので、クロストークの発生による画質の低下を防止することができる表示装置および表示方法を提供することを目的とする。
【課題を解決するための手段】
【００１３】
上記目的を達成するために、本発明の一形態に係る表示装置は、放電回数の比を示す輝度重みが設定されたサブフィールドを１フレーム期間内に複数設けて階調表示するサブフィールド法で駆動されるプラズマディスプレイパネルを有する表示部と、前記プラズマディスプレイパネルの発光特性に応じて、１フレーム期間内の複数のサブフィールド毎の残光量を算出し、前記残光量から算出される減算信号量を用いて、入力される映像信号を補正した補正映像信号を出力する映像信号補正部と、当該補正映像信号を、１フレーム毎にサブフィールド信号に変換するサブフィールド変換部と、変換された当該サブフィールド信号から前記プラズマディスプレイパネルを駆動するための駆動信号を生成する駆動信号生成部と、を備える。
【００１４】
ここで、前記映像信号補正部は、前記プラズマディスプレイパネルの発光特性に応じて、現フレームの１フレーム前の１フレーム期間内の複数のサブフィールド毎の残光量を算出する残光量算出部と、前記残光量算出部により算出された前記複数のサブフィールド毎の残光量から、入力される前記現フレームの映像信号を減算する信号量である前記減算信号量を算出する減算信号量算出部と、前記現フレームの映像信号から前記減算信号量算出部により算出された減算信号量を減算する減算器と、を備えるとしてもよい。
【００１５】
また、上記目的を達成するために、本発明の一形態に係る表示方法は、放電回数の比を示す輝度重みが設定されたサブフィールドを１フレーム期間内に複数設けて階調表示するサブフィールド法でプラズマディスプレイパネルを駆動させて映像を表示する表示ステップと、前記プラズマディスプレイパネルの発光特性に応じて、１フレーム期間内の複数のサブフィールド毎の残光量を算出し、前記残光量から算出される減算信号量を用いて、前記入力される映像信号を補正した補正映像信号を出力する映像信号補正ステップと、当該補正映像信号を、１フレーム毎にサブフィールド信号に変換するサブフィールド変換ステップと、変換された当該サブフィールド信号から前記プラズマディスプレイパネルを駆動するための駆動信号を生成する駆動信号生成ステップと、を含む。
【発明の効果】
【００１６】
本発明によれば、クロストークの発生による画質の低下を防止する表示装置および表示方法を実現することができる。
【図面の簡単な説明】
【００１７】
【図１】図１は、フレームシーケンシャル方式で立体映像を表示する手法を説明するための図である。
【図２】図２は、実施の形態１におけるＰＤＰの表示方法を説明するための図である。
【図３】図３は、実施の形態１における残光量の意味を説明するための図である。
【図４】図４は、単純に映像信号から残光量を一意に計算することはできないことを説明するための図である。
【図５】図５は、単純に映像信号から残光量を一意に計算することはできないことを説明するための別の図である。
【図６Ａ】図６Ａは、単純に映像信号から残光量を一意に計算することはできないことを説明するためのさらに別の図である。
【図６Ｂ】図６Ｂは、１ラインあたりのＳＦ点灯率の説明するための図である。
【図７】図７は、実施の形態１における表示装置の全体構成を示すブロック図である。
【図８】図８は、実施の形態１におけるクロストーク補正部の構成を示すブロック図である。
【図９】図９は、実施の形態１における残光量の算出方法を説明するための図である。
【図１０】図１０は、実施の形態１における残光量算出部の詳細構成を示すブロック図である。
【図１１】図１１は、実施の形態１における発光時間の算出方法について説明するための図である。
【図１２】図１２は、実施の形態１における減衰量の算出方法について説明するための図である。
【図１３】図１３は、実施の形態１におけるライン点灯率の具体例を説明するための図である。
【図１４】図１４は、実施の形態１における発光量算出部の詳細構成を示すブロック図である。
【図１５】図１５は、実施の形態１におけるパルス補正値の特性を説明するための図である。
【図１６】図１６は、実施の形態１における点灯率補正値の特性を説明するための図である。
【図１７】図１７は、実施の形態１における減算信号量算出部の詳細構成を示すブロック図である。
【図１８】図１８は、実施の形態２における減算処理後の映像のＡＰＬに対するパネル輝度の抑制方法を示す図である。
【図１９】図１９は、実施の形態２における表示装置の全体構成を示すブロック図である。
【図２０】図２０は、実施の形態２におけるクロストーク補正部の構成を示すブロック図である。
【図２１】図２１は、実施の形態２における残光量算出部の詳細構成を示すブロック図である。
【図２２】図２２は、実施の形態２における減算信号量算出部の詳細構成を示すブロック図である。
【図２３】図２３は、実施の形態２における変換係数算出部の詳細構成を示すブロック図である。
【図２４】図２４は、実施の形態２におけるパルス数決定部の構成を示すブロック図である。
【図２５】図２５は、実施の形態２におけるＬＵＴ部８２が有するＬＵＴの一例を示す図である。
【図２６】図２６は、本発明の表示装置を用いた製品の一例を示す図である。
【発明を実施するための形態】
【００１８】
（実施の形態１）
以下、本発明の実施の形態について、図面を参照しながら説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲だけによって限定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。なお、同一の構成要素には同一の符号を付し、説明を省略する場合がある。
【００１９】
まず、以下で説明するＰＤＰ（プラズマディスプレイパネル）で用いられるサブフィールド法について説明する。
【００２０】
ＰＤＰは、画素毎には発光または非発光の２つの状態しか持たないため、サブフィールド法で駆動することにより、画素毎で階調表示を行う。つまり、ＰＤＰは一枚の映像（フレーム）を表現するために、瞬断的に切り替わる複数の異なる映像（サブフィールド）を重ね合わせるサブフィールド法で駆動される。視聴者は複数のサブフィールドを合成したものを一枚の映像として知覚する。
【００２１】
より具体的には、サブフィールド法では、１フィールドを、輝度の重みすなわち発光時間の相対比の異なるＳ枚の画面（サブフィールド）で構成し、各々のサブフィールドで画素毎に発光を行うか否かを選択することで階調表示を実現する。一枚の映像を表現するサブフィールドの数は４〜１４枚が通常用いられる。ＰＤＰは一回の放電で一瞬だけ画像を表示するが、サブフィールド中の表示期間では少なくとも１以上の回数の放電を行う。各サブフィールドは互いに異なる長さの表示期間を持ち、表示期間中の放電回数（＝発光回数）をサブフィールドの重み（輝度重み）と呼ぶ。換言すると、輝度重みとは、放電回数の比を示す。例えば、サブフィールドを８枚順に表示し、その重みが、１，２，４，８，１６，３２，６４，１２８の順序で設定されているとする。このようにすると、２５６段階の階調表現が可能である。例えば１０という明るさの映像を表示する場合は２枚目と４枚目のサブフィールドを表示させればよい。
【００２２】
以下の実施の形態では、説明を簡単にするため、図２に示すように、一枚の映像を表現するサブフィールドの数を５枚として説明する。
【００２３】
図２は、本実施の形態におけるＰＤＰの表示方法を説明するための図である。
【００２４】
図２では、例えば６４階調の表示を行う場合（Ｓ＝５の場合）を示している。つまり、図２の（ａ）に示すように、異なる明るさを有する５つのサブフィールド（１ＳＦ、２ＳＦ、３ＳＦ、４ＳＦ、５ＳＦ）を用いて、それらの組合せで映像（１フレーム）を表現する。５つのサブフィールド（１ＳＦ、２ＳＦ、３ＳＦ、４ＳＦ、５ＳＦ）は、それぞれ２の０乗（１）、２の１乗（２）、２の２乗（４）、２の３乗（８）、および２の４乗（１６）の重み（輝度重み）を持つ。
【００２５】
また、図２の（ｂ）に示すように、１ＳＦ、２ＳＦ、３ＳＦ、４ＳＦおよび５ＳＦは、それぞれ、初期化期間と書き込み期間と維持期間とを有している。
【００２６】
初期化期間では、初期化放電を発生し、安定した書込み動作が行えるように放電セル内の電荷を活性化させる動作を行う。
【００２７】
書込み期間では、表示する画像に応じて放電セルで選択的に書込み放電を発生し壁電荷を形成する動作を行う。つまり、書き込み期間において、各サブフィールド（１ＳＦ〜５ＳＦ）を発光させるか否かが決められる。
【００２８】
維持期間では、各ＳＦで予め割り当てられたパルス数だけ維持放電を発生させ、放電セルの蛍光体を発光させる動作を行う。具体的には、維持期間では、図２の（ｃ）に示すように、書き込み期間で発光させることが決められた各ＳＦで予め割り当てられたパルス数（輝度重み）に応じた放電がなされる。
【００２９】
例えば、１ＳＦのパルス数が１発、２ＳＦのパルス数が２発、３ＳＦのパルス数が４発、４ＳＦのパルス数が８発、５ＳＦのパルス数が１６発と予め割り当てられている場合、明るさの相対比は１ＳＦ：２ＳＦ：３ＳＦ：４ＳＦ：５ＳＦ＝１：２：４：８：１６となる。したがって、７の輝度（明るさ）を表現したいときは、１ＳＦ、２ＳＦおよび３ＳＦを発光させるように書き込み期間において設定する。また、１１の輝度（明るさ）を表現したいときは、１ＳＦ、２ＳＦおよび４ＳＦを発光させるように書き込み期間において設定する。
【００３０】
次に、上記従来技術では、フレームシーケンシャル方式で立体映像を表示するＰＤＰにおいて、クロストークを完全には防止できないことは上述した。以下では、上記従来技術では、映像信号から残光量を一意に定めることができないいくつかの原因について説明する。
【００３１】
図３は、本実施の形態における残光量の意味を説明するための図である。
【００３２】
図３の（ａ）は、シャッター付メガネの切替信号を示しており、切替信号の立ち上がりの時間ｔ１で左右の眼に対する開口が切り替わることを示している。図３（ｂ）は、図２の（ｄ）と同様の図であり、１ＳＦ〜５ＳＦがすべて発光した場合の図を示している。ここで、残光とは、図３の（ａ）に示す切替信号の立ち上がりの時間ｔ以降の１ＳＦ〜５ＳＦの明るさの総和を意味する。また、図３からわかるように、その残光量は、各ＳＦで異なる。つまり、残光量は、各ＳＦの発光の大きさによって異なる。
【００３３】
図４は、単純に映像信号から残光量を一意に計算することはできないことを説明するための図である。
【００３４】
図４の（ａ）は、シャッター付メガネの切替信号を示している。図４の（ａ）は、図３の（ａ）と同様の図であり、切替信号の立ち上がりの時間ｔ２で左右の眼に対する開口が切り替わることを示している。図４の（ｂ）、（ｃ）および（ｄ）は、それぞれ、発光位置および発光の大きさが異なるＳＦが発光した場合を示している。
【００３５】
図４の（ａ）、（ｂ）および（ｃ）からわかるように、ＳＦの発光位置（発光ピーク位置）が異なる場合、明るさの減衰が指数関数に似た形であるため、より時間ｔ２に近い時間に発光位置（発光のピーク位置）があるＳＦほど残光量は大きくなる。また、図４の（ａ）、（ｂ）および（ｄ）からわかるように、ＳＦの発光の大きさ（発光ピーク位置での明るさ）が異なる場合、発光の大きさが大きいほど残光量は大きくなる。
【００３６】
つまり、ＰＤＰは、サブフィールド法で駆動していることから、残光量は、ＳＦの発光位置・発光の大きさによって異なることがわかる。
【００３７】
したがって、単純に映像信号から残光量を一意に計算することはできない原因の一つは、少なくともＳＦの発光位置および発光の大きさに基づいて算出していないことと考えられる。
【００３８】
図５は、単純に映像信号から残光量を一意に計算することはできないことを説明するための別の図である。図５では、ＰＤＰにおいて、維持放電を発生させるパルス数と、その明るさ（発光の大きさ）の関係を示している。
【００３９】
図５からわかるように、明るさ（発光の大きさ）はパルス数が増えるほど、パルス数の増加に対する発光の増加量は小さくなる。つまり、ＰＤＰでは、明るさ（発光の大きさ）は、パルス数に対して、非線形に増加する特性を有しており、パルス数が大きいほど、その増加量は減少する特性を有する。
【００４０】
これは、維持放電の発生により蛍光体を発光させるＰＤＰの場合、Ｎパルス目の維持放電が起こる時点で、Ｎ−１パルス目の維持放電による発光が完全に終わっていないことから、Ｎパルス目の発光はＮ−１パルス目の発光に比べて暗くなってしまう特性があるからである。したがって、パルス数が増えるほど発光の増加量は小さくなる。
【００４１】
したがって、ＰＤＰでは、パルス数が増えるほど発光の増加量は小さくなるという特性、すなわち、パルス数に対する明るさ（発光の大きさ）は、非線形に増加する特性がある。これら特性に基づいて残光量を算出していないことも単純に映像信号から残光量を一意に計算することはできない原因の一つであると、考えられる。
【００４２】
図６Ａは、単純に映像信号から残光量を一意に計算することはできないことを説明するためのさらに別の図である。図６Ａは、ＰＤＰにおいて、１ラインあたりのＳＦ点灯率と、その明るさ（発光の大きさ）の関係を示している。図６Ｂは、１ラインあたりのＳＦ点灯率の定義について説明するための図である。
【００４３】
図６Ｂに示すように、ＰＤＰは、２枚のガラスの横方向に対向してサステイン電極とスキャン電極と配置されている。サステイン電極は、ＰＤＰの複数の画素のライン毎に配置される。維持放電は１ラインごとに設けられたサステイン電極と、スキャン電極に電圧をかけて行われる。ここで、ＳＦ点灯率は、１ライン中の画素に対する１ライン中の発光するＳＦの画素の割合を示す。例えば、ＳＦ点灯率は、各ＳＦにおいて、１ライン中の全画素数に対する当該１ライン中の発光する画素数から算出できる。つまり、ＳＦ点灯率は、各ＳＦに対して算出され、例えば、ＳＦ数が５のときは１ラインに対して５つのライン点灯率が算出される。
【００４４】
図６Ａからわかるように、明るさ（発光の大きさ）は１ライン中で発光するＳＦ画素が多いほど発光の大きさは小さくなる。つまり、ＰＤＰでは、明るさ（発光の大きさ）は、１ライン中で発光するＳＦ画素の数に対して、減少する特性を有する。
【００４５】
これは、維持放電は１ラインごとに設けられたサステイン電極とスキャン電極に電圧をかけて行うが、１ラインあたりの発光するＳＦ画素の数が多いほど電流が多く必要となり、電流が弱まってしまうことから、明るさ（発光の大きさ）も小さくなる特性があるからである。
【００４６】
したがって、ＰＤＰでは、１ラインあたりの発光するＳＦ画素の数によって明るさ（発光の大きさ）が変化するという特性があり、この特性に基づいて残光量を算出していないことも単純に映像信号から残光量を一意に計算することはできない原因の一つであると、考えられる。
【００４７】
それに対して、本実施の形態の表示装置では、上述した上記特性を考慮して残光量を算出する。以下、本実施の形態の表示装置について、図を用いて具体的に説明する。
【００４８】
図７は、本実施の形態における表示装置の全体構成を示すブロック図である。
【００４９】
図７に示す表示装置１は、クロストーク補正部２と、ＳＦ変換部３と、駆動信号設定部４と、表示部５とを備える。以下、機能ブロック図に示された各要素について説明する。
【００５０】
表示部５は、初期化・書込・維持駆動回路５１と、データ駆動回路５２と、ＰＤＰ５３とを有する。
【００５１】
データ駆動回路５２は、駆動信号設定部４から駆動信号が入力される。データ駆動回路５２は、入力された駆動信号に含まれる各画素のサブフィールドの発光パターン（表示データ）に応じて、各画素に対してサブフィールド単位で書き込みを行う。
【００５２】
初期化・書込・維持駆動回路５１は、駆動信号設定部４から駆動信号が入力される。初期化・書込・維持駆動回路５１は、ＰＤＰ５３には、駆動信号設定部４から入力された駆動信号に基づいて対応するサブフィールドの発光をＰＤＰ５３に行わせる制御を行う。
【００５３】
ＰＤＰ５３は、例えば、２枚の重なり合ったガラスの間に、Ｎｅ、Ｘｅなどの混合希ガスを封入し、２枚のガラスの横方向にサステイン電極、縦方向に表示データの書き込みを選択するアドレス電極をマトリックス状に配置される。アドレス電極とサステイン電極との交点がＰＤＰの放電セル（画素）となる。ＰＤＰ５３では、アドレス電極とサステイン電極との間の対向放電により表示したい放電セルの選択を行い、サステイン電極間の面放電を行う。放電により発生した紫外線が各放電セルの蛍光体を励起させて発光する。また、ＰＤＰ５３は、２枚のガラスの横方向にスキャン電極が配置される。ＰＤＰ５３のスキャン電極を駆動することで、ＰＤＰ５３の内部の放電セルを一括して制御することができる。
【００５４】
また、ＰＤＰ５３は、輝度重みが設定されたサブフィールドを１フレーム期間内に複数設けて階調表示するサブフィールド法で駆動される。
【００５５】
クロストーク補正部２は、本発明の映像信号補正部に対応し、ＰＤＰ５３の発光特性に応じて、１フレーム期間内の複数のサブフィールド毎の残光量を算出し、残光量から算出される減算信号量を用いて、入力される映像信号を補正した補正映像信号を出力する。具体的には、クロストーク補正部２は、映像信号とＳＦ信号とが入力される。また、クロストーク補正部２は、１フレーム前の映像から生じる残光量に相当する信号量を、ＳＦ変換部３より入力されたＳＦ信号から算出し、入力された映像信号からその信号量分を減算し、減算した信号（補正映像信号）を出力する。
【００５６】
ＳＦ変換部３は、本発明の映像信号補正部に対応し、クロストーク補正部により出力された補正映像信号を、１フレーム毎にサブフィールド信号に変換する。具体的には、ＳＦ変換部３は、クロストーク補正部により出力された補正映像信号の明るさを表現するために、補正映像信号から発光させるＳＦを決定するＳＦ信号を生成する。また、ＳＦ変換部３は、生成したＳＦ信号を駆動信号設定部４に出力するとともに、クロストーク補正部２にフィードバック（出力）する。
【００５７】
なお、映像信号は様々な要素から生成される信号である。例えば、映像信号は放送信号を復号することによって得られた信号であってもよいし、内部、あるいは外部に接続されたハードディスクドライブや、メディアプレーヤーからの信号でも良い。映像信号は緑、青、赤の三原色色信号のいずれかであり、残る２つの原色色信号においても同様の信号処理が行われるとしてもよい。
【００５８】
駆動信号設定部４は、本発明の駆動信号生成部に対応し、ＳＦ変換部３で変換されたＳＦ信号からＰＤＰ５３を駆動するための駆動信号を生成する。駆動信号設定部４は、生成した駆動信号を、表示部５に出力する。
【００５９】
以上のように、表示装置１は構成される。
【００６０】
以下、クロストーク補正部２の詳細について説明する。
【００６１】
図８は、本実施の形態におけるクロストーク補正部の構成を示すブロック図である。
【００６２】
図８に示すように、クロストーク補正部２は、フレーム遅延部２１と、残光量算出部２２と、減算信号量算出部２３と、減算器２４とを備える。
【００６３】
フレーム遅延部２１は、ＳＦ変換部３により入力されたＳＦ信号を１フレーム期間だけ遅延させ、遅延させた遅延ＳＦ信号を、残光量算出部２２に出力する。
【００６４】
残光量算出部２２は、フレーム遅延部２１より入力された遅延ＳＦ信号に基づいて残光量を算出する。具体的には、残光量算出部２２は、本発明の駆動信号生成部に対応し、ＰＤＰ５３の発光特性に応じて、現フレームの１フレーム前の１フレーム期間内の複数のサブフィールド毎の残光量を算出する。そして、残光量算出部２２は、算出した残光量を減算信号量算出部２３に出力する。
【００６５】
より具体的には、残光量算出部２２は、現フレームの１フレーム前のＳＦ信号（遅延ＳＦ信号）から１フレーム前の各ＳＦ（１ＳＦ〜５ＳＦ）の残光の総和（以下、残光量と記載）を算出する。この１フレーム前の各ＳＦ（１ＳＦ〜５ＳＦ）の残光量は、現フレームの映像信号から減算すべき信号量として、減算信号量算出部２３に入力される。このような処理をフレーム毎に繰り返すことにより、残光量算出部２２は、クロストーク補正部２に入力される映像信号に対する残光量を算出する。
【００６６】
ここで、残光量算出部２２が１フレーム前の各ＳＦ（１ＳＦ〜５ＳＦ）の残光量を算出する方法と、その方法を実現するための詳細構成例について説明する。
【００６７】
図９は、本実施の形態における残光量の算出方法を説明するための図であり、１ＳＦ〜５ＳＦのいずれかのＳＦが発光した場合における明るさと時間との関係を示している。なお、図９において、発光量とは、発光位置（発光のピーク位置）での明るさの大きさを意味する。また、メガネ開口時間とは、シャッター付きメガネにおいて、左右の眼に対する開口が切り替わる時間を意味する。つまり、左右の一方の眼に対して閉口し、他方の眼に対して開口するする時間を意味する。
【００６８】
残光量は、メガネ開口時間以降で図９に示すＳＦが完全に明るさを失うまでの間の残光
の総和になるが、上述したように、ＰＤＰは、サブフィールド法で駆動しているため、残光量は、ＳＦの発光位置および発光の大きさによって異なる。
【００６９】
したがって、これを考慮して、残光量は、各ＳＦの発光の大きさと減衰量の乗算値の総和として、以下の式１で算出できる。なお、減衰量は、図９において、発光時の発光量Ａに対するメガネ開口時の発光量Ｂで定義される。
【００７０】
【数１】
2013148726.tif 000003
【００７１】
ここで、Ｚは残光量、Ｌｉは発光量、Ｇｉは減衰量を示し、Ｎは最大ＳＦ数を示す。
【００７２】
次に、残光量Ｚを算出する方法を実現する残光量算出部２２の詳細構成例について説明する。
【００７３】
図１０は、本実施の形態における残光量算出部の詳細構成を示すブロック図である。
【００７４】
図１０に示すように、残光量算出部２２は、駆動時間算出部２２１と、減衰量算出部２２２と、ライン点灯率算出部２２３と、発光量算出部２２４と、総和部２２５とを備える。
【００７５】
駆動時間算出部２２１は、１フレーム前の各ＳＦ（１ＳＦ〜５ＳＦ）の発光位置からメガネ開口時間までの時間を、１フレーム前の各ＳＦが発光を開始する時間からメガネ開口時間までの時間（発光時間）として算出する。具体的には、駆動時間算出部２２１は、１フレーム前の各ＳＦの発光時間を、各ＳＦの初期化期間（Ｉｎｉｔ１〜Ｉｎｉｔ５）、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間から算出する。
【００７６】
ここで各ＳＦの初期化期間（Ｉｎｉｔ１〜Ｉｎｉｔ５）、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間は、駆動時間算出部２２１に入力または予め設定される。なお、本実施の形態では、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間は、説明を簡潔にするため、固定値であるとする。
【００７７】
図１１は、本実施の形態における発光時間の算出方法について説明するための図である。図１１の（ａ）は、映像信号のフレーム同期信号を示している。図１１の（ａ）では、時間ｔ３を〜時間ｔ１０で、１フレーム期間を構成することが示されている。図１１の（ｂ）は、図２の（ｂ）と同様の図であり、各ＳＦ（１ＳＦ〜５ＳＦ）それぞれの、初期化期間と書き込み期間と維持期間とが示されている。図１１の（ｂ）では、時間ｔ４〜時間ｔ８のそれぞれで各ＳＦの初期化期間が開始され、時間ｔ９で５ＳＦの維持期間が終了することが示されている。なお、図９に示す発光位置は、図１１の（ｂ）における時間ｔ９の位置と定義する。また、図１１の（ｃ）は、シャッター付メガネの切替信号を示しており、切替信号の立ち下がりの時間ｔ４と切替信号の立ち上がりの時間ｔ１１で左右の眼に対する開口が切り替わることを示している。
【００７８】
ここで、１ＳＦ〜５ＳＦに対応する発光時間Ｔ１〜発光時間Ｔ５をとすると、発光時間Ｔ１〜発光時間Ｔ５は、以下の式２〜式６で算出することができる。
【００７９】
発光時間Ｔ１＝１フレーム期間−（駆動開始期間＋１ＳＦ期間）＋メガネ開始期間      （式２）
発光時間Ｔ２＝発光時間Ｔ１−２ＳＦ期間      （式３）
発光時間Ｔ３＝発光時間Ｔ２−３ＳＦ期間      （式４）
発光時間Ｔ４＝発光時間Ｔ３−４ＳＦ期間      （式５）
発光時間Ｔ５＝発光時間Ｔ４−５ＳＦ期間      （式６）
【００８０】
ここで、１ＳＦ期間〜５ＳＦ期間は、以下の式７〜式１１で算出できる。
【００８１】
１ＳＦ期間＝１ＳＦ初期化期間Ｉｎｉｔ１＋１ＳＦアドレス期間Ａｄｄｒ１＋１ＳＦ維持期間Ｓｕｓ１      （式７）
２ＳＦ期間＝２ＳＦ初期化期間Ｉｎｉｔ２＋２ＳＦアドレス期間Ａｄｄｒ２＋２ＳＦ維持期間Ｓｕｓ２      （式８）
３ＳＦ期間＝３ＳＦ初期化期間Ｉｎｉｔ３＋３ＳＦアドレス期間Ａｄｄｒ３＋３ＳＦ維持期間Ｓｕｓ３      （式９）
４ＳＦ期間＝４ＳＦ初期化期間Ｉｎｉｔ４＋４ＳＦアドレス期間Ａｄｄｒ４＋４ＳＦ維持期間Ｓｕｓ４      （式１０）
５ＳＦ期間＝５ＳＦ初期化期間Ｉｎｉｔ５＋５ＳＦアドレス期間Ａｄｄｒ５＋５ＳＦ維持期間Ｓｕｓ５      （式１１）
【００８２】
このようにして、駆動時間算出部２２１は、全画素における各ＳＦの発光時間を算出する。
【００８３】
続いて、図１０に示す減衰量算出部２２２について説明する。
【００８４】
減衰量算出部２２２は、駆動時間算出部２２１で算出された各ＳＦ（１ＳＦ〜５ＳＦ）の発光時間から各ＳＦ（１ＳＦ〜５ＳＦ）の減衰量（Ｇ１〜Ｇ５）を算出する。
【００８５】
ここで、減衰量を算出する方法を説明する。
【００８６】
図１２は、本実施の形態における減衰量の算出方法について説明するための図であり、本実施の形態における発光時の明るさ（発光位置での明るさ）からの減衰量と発光時間との関係を示している。
【００８７】
図１２に示すように、ＰＤＰ５３の各画素の各ＳＦの発光すなわち各画素の蛍光体の発光は時間の経過と共に減衰していくことから、発光時の明るさを１００とすると、その減衰は、式１２に定義される指数関数で近似できる。
【００８８】
【数２】
2013148726.tif 000004
【００８９】
ここで、Ｃ１は係数であり、蛍光体の特性で決まるパラメータである。Ｔｉは各ＳＦの発光時間を示す。
【００９０】
つまり、減衰量算出部２２２は、上記式１２を用いて、各ＳＦ（１ＳＦ〜５ＳＦ）毎に、減衰量（Ｇ１〜Ｇ５）を算出することができる。
【００９１】
続いて、図１０に示すライン点灯率算出部２２３について説明する。
【００９２】
ライン点灯率算出部２２３は、入力された遅延ＳＦ信号から、ＰＤＰ５３のラインごとのライン点灯率を各ＳＦについて算出する。ここで、ライン点灯率とは、１ライン中の画素に対する１ライン中の発光する画素の割合を示す。以下、ライン点灯率の具体例について図１３を用いて説明する。
【００９３】
図１３は、本実施の形態におけるライン点灯率の具体例を説明するための図である。図１３の（ａ）では、ＰＤＰの一画面における１ラインの全画素を画素Ａ〜画素Ｈで示している。図１３の（ｂ）では、画素Ａ〜画素Ｈにおける各ＳＦ（１ＳＦ〜５ＳＦ）の発光の有無とそのライン点灯率を示している。
【００９４】
ここで、各画素における各ＳＦの発光の有無は、０（無）、１（有）で示されている。ライン点灯率は１ライン中の全画素のＳＦが発光するときを１００、全画素のＳＦが発光しないとき０とした場合の値を示し、各ＳＦに対して算出される。例えば、ＳＦ数が５のときは１ラインに対して５つのライン点灯率（１ＳＦのライン点灯率、２ＳＦのライン点灯率・・・、５ＳＦのライン点灯率）が算出される。
【００９５】
したがって、ラインごとに発光するＳＦの割合を示すライン点灯率（ＲＬ１〜ＲＬ５）は、１ライン中の全画素のＳＦが発光するとき１００、全画素のＳＦが発光しないとき０として、式１３で算出できる。
【００９６】
【数３】
2013148726.tif 000005
【００９７】
ここで、ｎはＳＦ番号（例えば１ＳＦ〜５ＳＦ）を示し、Ｘは水平画素数を示す。Ｐ（ｎ，ｉ）は、ｉ番目の画素のｎ番目のＳＦの発光有無（１：発光有、０：発光無）を示す。
【００９８】
このように、ライン点灯率算出部２２３は、式１３を用いて、ＰＤＰ５３のラインごとのライン点灯率を各ＳＦについて算出することができる。
【００９９】
続いて、図１０に示す発光量算出部２２４について説明する。
【０１００】
発光量算出部２２４は、フレーム遅延部２１から遅延ＳＦ信号が入力され、ライン点灯率算出部２２３からライン点灯率（ＲＬ１〜ＲＬ５）が入力される。さらに、発光量算出部２２４は、各ＳＦで割り当てられたパルス数（Ｐｌｓ１〜Ｐｌｓ５）が入力される。なお、本実施の形態では、説明を簡単にするため、パルス数（Ｐｌｓ１〜Ｐｌｓ５）は、固定値であるとして説明する。
【０１０１】
発光量算出部２２４は、入力された遅延ＳＦ信号、ライン点灯率（ＲＬ１〜ＲＬ５）およびパルス数（Ｐｌｓ１〜Ｐｌｓ５）から１フレーム前の各ＳＦ（１ＳＦ〜５ＳＦ）の発光量（発光位置での明るさ）を算出する。
【０１０２】
ここで、発光量算出部２２４が１フレーム前の各ＳＦ（１ＳＦ〜５ＳＦ）の発光量の算出を実現するための詳細構成例について説明する。
【０１０３】
図１４は、本実施の形態における発光量算出部の詳細構成を示すブロック図である。
【０１０４】
図１４に示すように、発光量算出部２２４は、積算器２２４１、２２４４および２２４６と、パルス補正値算出部２２４３と、点灯率補正値算出部２２４５と、スイッチ２２４７とを備える。
【０１０５】
積算器２２４１は、入力されたパルス数（Ｐｌｓ１〜Ｐｌｓ５）とパルス光量変換係数とを乗算することで各ＳＦ（１ＳＦ〜５ＳＦ）が発光したときの明るさ（発光位置での明るさ）である基本発光量を算出する。積算器２２３１は、算出した基本発光量を積算器２２４４に出力する。ここで、パルス光量変換係数とは、パルス数に正比例して発光量が増加するとした関係に基づいてパルス数から推定される発光量に変換するための係数である。
【０１０６】
パルス補正値算出部２２４３は、入力されたパルス数（Ｐｌｓ１〜Ｐｌｓ５）から、各パル数に対するパルス補正値を算出する。ここで、パルス補正値について、図１５を用いて説明する。
【０１０７】
図１５は、本実施の形態におけるパルス補正値の特性を説明するための図である。図１５は、ＰＤＰでは、パルス数が増えるほど発光の増加量は小さくなるという特性を考慮するために、パルス数の数に対して補正を加える場合の図である。つまり、パルス数の増加に伴い、有効なパルス数が減少すると解釈し、その解釈に基づいてパルス補正値を算出する。そして、算出したパルス補正値を用いることで、パルス数の増加に伴い、発光量を小さくする補正を行うことができる。
【０１０８】
積算器２２４４は、パルス補正値算出部２２４３で算出された各パルス数に対するパルス補正値を、積算器２２４１から入力された基本発光量に乗算することでパルス補正発光量を算出する。積算器２２４４は、算出したパルス補正発光量を積算器２２４６に出力する。なお、本実施の形態では、パルス補正値算出部２２４３と積算器２２４４とは別の構成として説明したが、それに限らない。パルス数が増えるほど発光の増加量は小さくなるという特性を有する発光量を算出できればよいので、パルス補正値算出部２２４３と積算器２２４４とをひとつの関数を演算する１つの構成（例えば、パルス補正部２２４２）としてもよい。
【０１０９】
点灯率補正値算出部２２４５は、ライン点灯率算出部２２３から入力されたライン点灯率（ＲＬ１〜ＲＬ５）から点灯率補正値を算出する。
【０１１０】
ここで、点灯率補正値について、図１６を用いて説明する。
【０１１１】
図１６は、本実施の形態における点灯率補正値の特性を説明するための図である。
【０１１２】
図１６は、ＰＤＰでは、１ラインあたりの発光するＳＦ画素の数によって明るさ（発光の大きさ）が変化するという特性に基づき、ライン点灯率に対して補正を加える場合の図である。つまり、ライン点灯率の増加に伴い、明るさ（発光の大きさ）に寄与する１ライン中の画素が減少すると解釈し、その解釈に基づいて点灯率補正値を算出する。そして、算出した点灯率補正値を用いることで、ライン点灯率の増加に伴い、発光量を小さくする補正を行うことができる。
【０１１３】
積算器２２４６は、点灯率補正値算出部２２４５で算出された各ＳＦに対する点灯率補正値を、積算器２２４４から入力されたパルス補正発光量に乗算して点灯率補正発光量を算出する。積算器２２４４は、算出した点灯率補正発光量をスイッチ２２４７に出力する。
【０１１４】
スイッチ２２４７は、遅延ＳＦ信号（１：発光有、０：発光無）を参照し、遅延ＳＦ信号に従って、入力された点灯率補正発光量を対応するＳＦの発光量として出力する、または、遅延ＳＦ信号に従って、入力された点灯率補正発光量を遮断し、対応するＳＦの発光量を出力しない。例えば、スイッチ２２４７は、参照した遅延ＳＦ信号が１（発光有）を示すとき、点灯率補正発光量を対応するＳＦの発光量として出力し、参照した遅延ＳＦ信号が０（発光無）を示すとき、出力される発光量は０となる。
【０１１５】
このようにして、スイッチ２２４７は、遅延ＳＦ信号を参照し、全画素のＳＦ（１ＳＦ〜５ＳＦ）の発光量（Ｌ１〜Ｌ５）を出力する。
【０１１６】
なお、遅延ＳＦ信号の元となる映像信号では、画素毎の映像信号がシーケンシャルに含まれているので、スイッチ２２４７は、遅延ＳＦ信号を参照し、画素毎の各ＳＦ（１ＳＦ〜５ＳＦ）の発光量を出力することで、全画素のＳＦ（１ＳＦ〜５ＳＦ）の発光量（Ｌ１〜Ｌ５）を出力することができる。
【０１１７】
以上のようにして、発光量算出部２２４は、入力された遅延ＳＦ信号、ライン点灯率（ＲＬ１〜ＲＬ５）およびパルス数（Ｐｌｓ１〜Ｐｌｓ５）から１フレーム前の各ＳＦ（１ＳＦ〜５ＳＦ）の発光量を算出する。
【０１１８】
続いて、図１０に示す総和部２２５について説明する。
【０１１９】
総和部２２５は、発光量算出部２２４より入力された各ＳＦの発光量（Ｌ１〜Ｌ５）、減衰量算出部２２２から入力された減衰量（Ｇ１〜Ｇ５）から残光量Ｚを算出する。
【０１２０】
具体的には、総和部２２５は、上述した式１を用いて、各ＳＦの発光の大きさと減衰量の乗算値の総和として残光量を算出する。なお、算出方法の詳細は上述したので説明を省略する。
【０１２１】
以上のようにして、残光量算出部２２は、クロストーク補正部２に入力される映像信号に対する残光量を算出する。
【０１２２】
続いて、図８に戻り、減算信号量算出部２３について説明する。
【０１２３】
減算信号量算出部２３は、入力された映像信号を減算する信号量を示す減算信号量を算出する。具体的には、減算信号量算出部２３は、残光量算出部２２により算出された複数のサブフィールド毎の残光量の総和から、入力される現フレームの映像信号を減算する信号量である減算信号量を算出する。
【０１２４】
ここで、減算信号量算出部２３が減算信号量を算出するための詳細構成例について説明する。
【０１２５】
図１７は、本実施の形態における減算信号量算出部の詳細構成を示すブロック図である。
【０１２６】
図１７に示すように、減算信号量算出部２３は、積算器２３１を備える。
【０１２７】
積算器２３１は、残光量算出部２２により算出された各ＳＦの残光量に、変換係数を乗算して減算信号量を算出する。積算器２３１は、算出した減算信号量を減算器２４に出力する。
【０１２８】
この変換係数は、最大映像信号の光量に対する最大映像信号（最大映像信号／最大映像信号の光量）で決められるパラメータである。
【０１２９】
続いて、図８に戻り、減算器２４について説明する。
【０１３０】
減算器２４は、現フレームの映像信号から減算信号量算出部２３により算出された減算信号量を減算することで、入力された映像信号を補正した補正映像信号を出力する。具体的には、減算器２４は、入力される映像信号から減算信号量を減算して得た補正映像信号を出力する。
【０１３１】
以上のようにして、クロストーク補正部２は、ＰＤＰ５３の発光特性に応じて、１フレーム期間内の複数のサブフィールド毎の残光量（残光の総和）を算出し、残光量から算出される減算信号量を用いて、入力される映像信号を補正した補正映像信号を出力する。
【０１３２】
以上、本実施の形態によれば、クロストーク補正部２を備えることにより、クロストークの発生による画質の低下を防止することができる表示装置を実現することができる。
【０１３３】
（実施の形態２）
実施の形態１では、現フレームの映像信号から減算することで、クロストークの発生による画質の低下を防止する場合の例について説明した。しかし、現フレームの映像信号から減算することで、減算した残光の明るさ（残光量）だけ暗くなり、ＰＤＰ表示時の明るさが低減してしまう。
【０１３４】
ここで、ＰＤＰは自発光パネルであり、１フレームの映像が明るいほど電力を必要とする。換言すると、ＰＤＰでは、許容される電力内で１フレームの映像が表示される。そのため、クロストーク低減のため入力される映像信号に減算処理が行われる場合、この減算処理で減算された信号分は電力に余裕を生んでいると解釈することもできる。
【０１３５】
したがって、余裕が生じた電力分を用いると画面全体を明るくすることができると考えられる。以下、この場合について説明する。
【０１３６】
ところで、ＰＤＰでは、フレーム毎の各サブフィールドの維持パルス数を平均輝度レベル（ＡＰＬ（Ａｖｅｒａｇｅ  Ｐｅａｋ  Ｌｅｖｅｌ））に応じて制御される技術が知られている。
【０１３７】
したがって、本実施の形態では、従来のＡＰＬによる制御を取り入れ、さらに、減算処理後の映像の必要電力量に合わせてＰＤＰの表示の明るさ（パネル輝度）を調整すればよい。
【０１３８】
図１８は、本実施の形態における減算処理後の映像のＡＰＬに対するパネル輝度の抑制方法を示す図である。
【０１３９】
つまり、実施の形態２では、図１８に示すように、減算処理後のＡＰＬ（平均輝度レベル）が高い場合に、パネル輝度を抑制する調整し、さらに省電力化する。反対に、減算処理後のＡＰＬ（平均輝度レベル）が低い場合には、省電力化や減算処理を通じて余裕が生じた電力を用いて、パネル輝度を高める（明るくなる）ように調整する。
【０１４０】
以下、これを実現する構成について説明する。
【０１４１】
図１９は、本実施の形態における表示装置の全体構成を示すブロック図である。
【０１４２】
図１９に示す表示装置６は、ＳＦ変換部３と、表示部５と、クロストーク補正部７と、パルス数決定部８と、駆動信号設定部９とを備える。なお、図７と同様の要素には同一の符号を付しており、詳細な説明は省略する。
【０１４３】
図１９に示す表示装置６は、実施の形態１に係る表示装置１に対して、クロストーク補正部７と、駆動信号設定部９との構成が異なり、パルス数決定部８の構成が追加されている。
【０１４４】
クロストーク補正部７は、本発明の映像信号補正部に対応し、ＰＤＰ５３の発光特性に応じて、１フレーム期間内の複数のサブフィールド毎の残光量を算出し、残光量から算出される減算信号量を用いて、入力される映像信号を補正した補正映像信号を出力する。具体的には、クロストーク補正部７は、映像信号と、ＳＦ変換部３よりフィードバック（入力）されるＳＦ信号とに加えて、パルス数決定部８より入力されるパルス数および維持期間が入力される。また、クロストーク補正部７は、１フレーム前の映像から生じる残光量に相当する信号量（以下、減算信号量と記載）を、ＳＦ変換部３より入力されるＳＦ信号とパルス数決定部８より入力されるパルス数および維持期間とから算出する。そして、クロストーク補正部７は、入力される映像信号から、算出した減算信号量を減算し、減算した信号を補正映像信号として出力する。
【０１４５】
以下、クロストーク補正部７の詳細について説明する。
【０１４６】
図２０は、本実施の形態におけるクロストーク補正部の構成を示すブロック図である。
【０１４７】
図２０に示すように、クロストーク補正部７は、フレーム遅延部２１と、減算器２４と、残光量算出部７２と、減算信号量算出部７３とを備える。なお、図８と同様の要素には同一の符号を付しており、詳細な説明は省略する。
【０１４８】
図２０に示すクロストーク補正部７は、実施の形態１に係るクロストーク補正部２に対して、残光量算出部７２と、減算信号量算出部７３との構成が異なる。
【０１４９】
残光量算出部７２は、フレーム遅延部２１より入力される遅延ＳＦ信号と、パルス数決定部８で決定されたパルス数および維持期間とに基づいて、残光量を算出する。具体的には、残光量算出部７２は、本発明の駆動信号生成部に対応し、ＰＤＰ５３の発光特性に応じて、現フレームの１フレーム前の１フレーム期間内の複数のサブフィールド毎の残光量を算出する。そして、残光量算出部７２は、算出した残光量を減算信号量算出部７３に出力する。
【０１５０】
より具体的には、残光量算出部７２は、現フレームの１フレーム前のＳＦ信号（遅延ＳＦ信号）と、パルス数決定部８で決定されたパルス数および維持期間とから、１フレーム前の各ＳＦ（１ＳＦ〜５ＳＦ）の残光量（残光の総和）を算出する。この１フレーム前の各ＳＦ（１ＳＦ〜５ＳＦ）の残光量は、現フレームの映像信号から減算すべき信号量として、減算信号量算出部２３に入力される。このような処理をフレーム毎に繰り返すことにより、残光量算出部２２は、クロストーク補正部７に入力される映像信号に対する残光量を算出する。
【０１５１】
ここで、残光量算出部７２が１フレーム前の各ＳＦ（１ＳＦ〜５ＳＦ）の残光量を算出するための詳細構成例について説明する。
【０１５２】
図２１は、本実施の形態における残光量算出部の詳細構成を示すブロック図である。
【０１５３】
図２１に示すように、残光量算出部７２は、減衰量算出部２２２と、ライン点灯率算出部２２３と、総和部２２５と、駆動時間算出部７２１と、発光量算出部７２４とを備える。なお、図１０と同様の要素には同一の符号を付しており、詳細な説明は省略する。
【０１５４】
図２１に示す残光量算出部７２は、実施の形態１に係る残光量算出部２２に対して、駆動時間算出部７２１と、発光量算出部７２４との構成が異なる。
【０１５５】
駆動時間算出部７２１は、１フレーム前の各ＳＦの発光時間を算出する。具体的には、
駆動時間算出部２２１は、１フレーム前の各ＳＦの発光時間を、各ＳＦの初期化期間（Ｉｎｉｔ１〜Ｉｎｉｔ５）、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間から算出する。
【０１５６】
ここで各ＳＦの初期化期間（Ｉｎｉｔ１〜Ｉｎｉｔ５）、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間は、駆動時間算出部２２１に入力される。実施の形態１では、各ＳＦのアドレス期間（Ａｄｄｒ１〜Ａｄｄｒ５）、各ＳＦの維持期間（Ｓｕｓ１〜Ｓｕｓ５）、駆動開始期間およびメガネ開始期間は、説明を簡潔にするため、固定値であるとして説明した。一方、本実施の形態では、ＰＤＰ５３の表示輝度をフレーム毎に調整するため、各ＳＦの維持期間（Ｓｕｓ１〜Ｓｕｓ５）はフレーム毎に変動する変数として、駆動時間算出部７２１に入力される。
【０１５７】
なお、各ＳＦの維持期間（Ｓｕｓ１〜Ｓｕｓ５）はフレーム毎に変動する変数である点を除き、発光時間の算出方法は実施の形態１と同様のため説明を省略する。
【０１５８】
発光量算出部７２４は、実施の形態１の発光量算出部２２４と同様に、フレーム遅延部２１から遅延ＳＦ信号と、ライン点灯率算出部２２３からライン点灯率（ＲＬ１〜ＲＬ５）と、各ＳＦで割り当てられたパルス数（Ｐｌｓ１〜Ｐｌｓ５）が入力される。なお、本実施の形態では、ＰＤＰ５３の表示輝度をフレーム毎に調整するため、パルス数（Ｐｌｓ１〜Ｐｌｓ５）は、フレーム毎に変動する変数として、パルス数決定部８より、発光量算出部７２４に入力される。
【０１５９】
以上のようにして、残光量算出部７２は、クロストーク補正部７に入力される映像信号に対する残光量を算出する。
【０１６０】
続いて、図２０に戻り、減算信号量算出部７３について説明する。
【０１６１】
減算信号量算出部７３は、入力された映像信号を減算する信号量を示す減算信号量を算出する。具体的には、減算信号量算出部７３は、残光量算出部７２により算出された複数のサブフィールド毎の残光量と、パルス数決定部８で決定されたパルス数とから、入力される現フレームの映像信号を減算する信号量である減算信号量を算出する。
【０１６２】
ここで、減算信号量算出部７３が減算信号量を算出するための詳細構成例について説明する。
【０１６３】
図２２は、本実施の形態における減算信号量算出部の詳細構成を示すブロック図である。
【０１６４】
図２２に示すように、減算信号量算出部７３は、積算器２３１と、変換係数算出部７３２とを備える。なお、図１７と同様の要素には同一の符号を付しており、詳細な説明は省略する。
【０１６５】
変換係数算出部７３２は、パルス数決定部８で決定された２フレーム前のパルス数から、変換係数を算出する。ここで、変換係数とは、残光量に乗算して減算信号量を算出するための係数である。
【０１６６】
また、この変換係数は、パルス数決定部８で決定された２フレーム前のパルス数に基づき、現フレームの映像がＰＤＰ５３で表示される際の輝度に合わせるように算出される。換言すると、この変換係数は、最大映像信号の光量に対する最大映像信号（最大映像信号÷最大映像信号の光量）で決められるパラメータである。
【０１６７】
最大映像信号は表示装置６の回路構成に依存する固定値である。最大映像信号で表示した際の光量は、輝度重み（パルス数）で決まるパラメータである。本来、パルス数は減算後の映像信号（補正映像信号）を基づいて、決めることができるが、現フレームのパルス数は、現フレームの補正映像信号を算出する前であるため、この時点では不明である。そこで２フレーム前の映像をＰＤＰ５３で表示する際に用いたパルス数を用いて、最大映像信号で表示した際の光量を算出する。
【０１６８】
なお、２次元映像において、現フレームの映像信号は１つ前のフレームの映像信号と相関が高い。また、フレームシーケンシャル方式で立体映像を表示する場合には、右眼用画像と左眼用画像とが交互に表示される。したがって、立体映像を表示する場合において、現フレームの映像信号に対して１つ前のフレームの映像信号は、右眼用画像または左眼用画像に対応する１つ前のフレームの映像信号であることが好ましい。したがって、本実施の形態では、２フレーム前の映像信号（補正映像信号）のパルス数に基づいて決定する。
【０１６９】
ここで、変換係数算出部７３２が変換係数を算出するための詳細構成例について説明する。
【０１７０】
図２３は、本実施の形態における変換係数算出部の詳細構成を示すブロック図である。
【０１７１】
図２３に示すように、変換係数算出部７３２は、積算器７３２１および７３２２と、パルス補正値算出部７３２３と、除算器７３２４とを備える。
【０１７２】
積算器７３２１は、パルス数決定部８で決定された２フレーム前のパルス数（Ｐｌｓ１〜Ｐｌｓ５）とパルス光量変換係数とを乗算することで各ＳＦ（１ＳＦ〜５ＳＦ）が発光したときの明るさ（発光位置での明るさ）である基本発光量を算出する。積算器７３２１は、算出した基本発光量を積算器７３２２に出力する。ここで、パルス光量変換係数とは、上述したように、パルス数に正比例して発光量が増加するとした関係に基づいてパルス数から推定される発光量に変換するための係数である。
【０１７３】
パルス補正値算出部７３２３は、パルス数決定部８で決定された２フレーム前のパルス数（Ｐｌｓ１〜Ｐｌｓ５）から、各パル数に対するパルス補正値を算出する。ここで、パルス補正値については、図１５を用いて説明した通りであるため、説明を省略する。
【０１７４】
積算器７３２２は、パルス補正値算出部７３２３で算出された各パルス数に対するパルス補正値を、積算器７３２１から入力された基本発光量に乗算することで光量を算出する。積算器７３２２は、算出した光量を除算器７３２４に出力する。なお、本実施の形態では、パルス補正値算出部７３２３と積算器７３２２とは別の構成として説明したが、それに限らない。パルス数が増えるほど発光の増加量は小さくなるという特性を有する光量を算出できればよいので、パルス補正値算出部７３２３と積算器７３２２とをひとつの関数を演算する１つの構成としてもよい。
【０１７５】
除算器７３２４は、最大映像信号を、積算器７３２２は算出した光量（最大映像信号の光量）で除算することで、変換係数を算出する。除算器７３２４は、算出した変換係数を積算器２３１に出力する。
【０１７６】
このようにして、変換係数算出部７３２は、パルス数決定部８で決定された２フレーム前のパルス数から、変換係数を算出する。
【０１７７】
以上のようにして、クロストーク補正部７は、ＰＤＰ５３の発光特性に応じて、１フレーム期間内の複数のサブフィールド毎の残光量を算出し、残光量から算出される減算信号量を用いて、入力される映像信号を補正した補正映像信号を出力する
続いて、図２０に戻り、パルス数決定部８について説明する。
【０１７８】
パルス数決定部８は、本発明の調整部に対応し、クロストーク補正部７により出力された補正映像信号をＰＤＰ５３で表示する際に必要な電力量に基づき、輝度重み（パルス数）をフレーム毎に調整する。また、パルス数決定部８は、フレーム毎に、クロストーク補正部７により出力された補正映像信号をＰＤＰ５３で表示する際の輝度レベルに基づき、必要な電力量を算出する。ここで、輝度レベルとは、ＡＰＬ（；平均輝度レベル）である。
【０１７９】
また、パルス数決定部８は、輝度レベルが高いほど、補正映像信号をＰＤＰ５３で表示する際のパネル輝度を下げるように輝度重みを調整する。換言すると、パルス数決定部８は、輝度レベルが高いほど、補正映像信号をＰＤＰ５３で表示する際の維持期間における維持放電パルス数が少なくなるように輝度重みを調整する。
【０１８０】
より具体的には、パルス数決定部８は、補正映像信号から、ＰＤＰ５３で表示する際に必要な電力量に基づき、ＰＤＰ５３が発光可能なパルス数を決定し、決定したパルス数を駆動信号設定部９とクロストーク補正部７とに出力する。また、パルス数決定部８は、決定したパルス数で駆動する際の維持期間を決定し、その維持期間をクロストーク補正部７に出力する。
【０１８１】
ここで、パルス数決定部８が補正映像信号から、ＰＤＰ５３で表示する際に必要な電力量に基づき、ＰＤＰ５３が発光可能なパルス数とその維持期間を決定するための詳細構成例について説明する。
【０１８２】
図２４は、本実施の形態におけるパルス数決定部の構成を示すブロック図である。
【０１８３】
図２４に示すように、パルス数決定部８は、平均値算出部８１と、ＬＵＴ部８２とを備える。
【０１８４】
平均値算出部８１は、補正映像信号の平均値（ＡＰＬ）を求め、出力する。なお、補正映像信号の平均値（ＡＰＬ）の代わりに、表示装置６に入力される映像信号の平均値からクロストーク補正部７で算出された減算信号量の平均値を減算した結果を出力するとしてもよい。
【０１８５】
ＬＵＴ部８２は、平均値算出部８１から出力された補正映像信号の平均値（ＡＰＬ）から各ＳＦのパルス数と維持期間を求める。具体的には、ＬＵＴ部８２は、図２５に示すようなＬＵＴ（Ｌｏｏｋ  ｕｐ  Ｔａｂｌｅ）を用いて、平均値算出部８１から出力された補正映像信号の平均値（ＡＰＬ）から各ＳＦのパルス数と維持期間を求める。
【０１８６】
ここで、図２５は、本実施の形態におけるＬＵＴ部８２が有するＬＵＴの一例を示す図である。ＬＵＴとは、入力輝度に対する出力輝度の割当テーブルである。本実施の形態では、図２５に示すように、ＡＰＬに対するパルス数と維持期間との割当テーブルをＬＵＴとして用いている。
【０１８７】
より具体的には、ＬＵＴ部８２は、平均値算出部８１から出力された補正映像信号の平均値（ＡＰＬ）を図２５に示す閾値と比較し、当てはまる範囲に対応するパルス数および維持期間を出力する。
【０１８８】
このようにして、パルス数決定部８は、補正映像信号から、パルス数とその維持期間を決定する。
【０１８９】
続いて、図２０に戻り、駆動信号設定部９について説明する。
【０１９０】
駆動信号設定部９は、本発明の駆動信号生成部に対応し、フレーム毎に、パルス数決定部８により決定された輝度重みと、ＳＦ変換部３で変換されたＳＦ信号とから、ＰＤＰ５３を駆動するための駆動信号を生成する。駆動信号設定部９は、生成した駆動信号を、表示部５に出力する。
【０１９１】
以上のように、表示装置６は構成される。
【０１９２】
以上、本実施の形態によれば、クロストーク補正部２を備えることにより、クロストークの発生による画質の低下を防止することができるだけでなく、さらにパルス数決定部８を備えることにより、減算処理後の映像の必要電力量に合わせてＰＤＰの表示の明るさ（パネル輝度）を調整し、明るさ低下を抑制できる表示装置を実現することができる。
【０１９３】
以上、本発明によれば、クロストークの発生による画質の低下を防止する表示装置および表示方法を実現することができる。
【０１９４】
なお、図２６は、本発明の表示装置を用いた製品の一例を示す図である。
【０１９５】
つまり、本発明の表示装置は、図２６に示すような製品、例えばテレビ等の時分割表示方式によって立体映像を表示可能な映像表示装置に適用することができる。換言すると、本発明の表示装置を適用することで、クロストークの発生による画質の低下を防ぐことができる映像表示装置を実現することができる。
【０１９６】
以上、本発明の表示装置とその表示方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【０１９７】
例えば、本発明は、装置として実現するだけでなく、この装置を構成する処理手段をステップとする方法として実現してもよい。
【０１９８】
その場合、本発明の表示方法は、以下のステップを含む方法として実現することができる。
【０１９９】
すなわち、本発明の表示方法は、輝度重みが設定されたサブフィールドを１フレーム期間内に複数設けて階調表示するサブフィールド法でＰＤＰを駆動させて映像を表示する表示ステップと、ＰＤＰの発光特性に応じて、１フレーム期間内の複数のサブフィールド毎の残光量を算出し、前記残光量から算出される減算信号量を用いて、入力される映像信号を補正した補正映像信号を出力する映像信号補正ステップと、当該補正映像信号を、１フレーム毎にサブフィールド信号に変換するサブフィールド変換ステップと、変換された当該サブフィールド信号から前記プラズマディスプレイパネルを駆動するための駆動信号を生成する駆動信号生成ステップとを含む。
【産業上の利用可能性】
【０２００】
本発明は、サブフィールド駆動法によって駆動されるディスプレイを備える表示装置とその表示方法に利用でき、特に、プラズマパネルディスプレイを備える表示装置とその表示方法。
【符号の説明】
【０２０１】
１、６  表示装置
２、７  クロストーク補正部
３  ＳＦ変換部
４、９  駆動信号設定部
５  表示部
８  パルス数決定部
５１  初期化・書込・維持駆動回路
５３  ＰＤＰ
２１  フレーム遅延部
２２、７２  残光量算出部
２３、７３  減算信号量算出部
２４  減算器
８１  平均値算出部
８２  ＬＵＴ部
２２１、７２１  駆動時間算出部
２２２  減衰量算出部
２２３  ライン点灯率算出部
２２４、７２４  発光量算出部
２２５  総和部
２３１、２２４１、２２４４、２２４６、７３２１、７３２２  積算器
７３２  変換係数算出部
２２４２  パルス補正部
２２４３、７３２３  パルス補正値算出部
２２４５    点灯率補正値算出部
２２４７  スイッチ
７３２４  除算器
【図３】
2013148726.tif 000006
【図４】
2013148726.tif 000007
【図５】
2013148726.tif 000008
【図６Ａ】
2013148726.tif 000009
【図６Ｂ】
2013148726.tif 000010
【図７】
2013148726.tif 000011
【図８】
2013148726.tif 000012
【図９】
2013148726.tif 000013
【図１０】
2013148726.tif 000014
【図１１】
2013148726.tif 000015
【図１２】
2013148726.tif 000016
【図１３】
2013148726.tif 000017
【図１４】
2013148726.tif 000018
【図１５】
2013148726.tif 000019
【図１６】
2013148726.tif 000020
【図１７】
2013148726.tif 000021
【図１８】
2013148726.tif 000022
【図１９】
2013148726.tif 000023
【図２０】
2013148726.tif 000024
【図２１】
2013148726.tif 000025
【図２２】
2013148726.tif 000026
【図２３】
2013148726.tif 000027
【図２４】
2013148726.tif 000028
【図２５】
2013148726.tif 000029
【図２６】
2013148726.tif 000030
【図１】
2013148726.tif 000031
【図２】
2013148726.tif 000032